(57)【要約】  【課題】  屋外に設置される監視カメラの前面ガラスの雨水等の汚水による汚れを低減する。  【解決手段】  前面ガラス１３は、レンズ収容カバー１２に保持されている。レンズ収容カバー１２には、レンズ収容カバー１２を伝って前面ガラス１３に向かって流れようとする汚水を前面ガラス１３からそれる方向へ案内する汚水案内溝１４が設けられている。【選択図】  図１
2005192114.tif 000002
【特許請求の範囲】
【請求項１】
撮影窓部材と、
前記撮影窓部材を保持する保持手段と、
前記保持手段を伝って前記撮影窓部材に向かって流れる汚水を前記撮影窓部材からそれる方向へ案内する汚水案内手段と
を備えることを特徴とする監視カメラ。
【請求項２】
前記汚水案内手段は、前記保持手段上に形成された、前記汚水を流すための汚水案内溝であることを特徴とする請求項１に記載の監視カメラ。
【請求項３】
前記汚水案内手段は、前記保持手段上に設けられた、前記汚水の流れを堰き止める汚水案内堰であることを特徴とする請求項１に記載の監視カメラ。
【請求項４】
前記汚水案内手段を複数設けたことを特徴とする請求項１ないし請求項３のいずれかに記載の監視カメラ。
【発明の詳細な説明】
【技術分野】
【０００１】
本発明は、監視対象を撮影する監視カメラに関するものである。
【背景技術】
【０００２】
図５は、従来の監視カメラの例を示す斜視図である。監視カメラ３０は、カメラケース３１と前面ガラス３２を備えており、カメラケース３１の内部にはカメラが収容され、前面ガラス３２を通して監視対象が撮像される（例えば特許文献１参照）。
【０００３】
このような監視カメラは、例えば屋外の高所に備えられ、下方の監視場所を撮影するために下方へ向けて配置され、この配置は雨水が前面ガラスにかからない点でも有利である。
【０００４】
【特許文献１】特開２００２−１５６７０２号公報（第２−３頁、第３図）
【発明の開示】
【発明が解決しようとする課題】
【０００５】
しかし、従来の監視カメラでは、屋外に設置されている場合に、雨水等の汚水が前面ガラスに流れることがある。特に、監視カメラが下向きに備えられている場合、ケースを伝って前面ガラスに汚水が流れやすい。汚水が前面ガラスに流れると、映像が見にくくなるという問題があった。また、前面ガラスに流れた汚水が乾燥して汚れが残り、映像が見にくくなるという問題があった。
【０００６】
本発明は、従来の問題を解決するためになされたもので、汚水による前面ガラスの汚れを少なくできる監視カメラを提供することを目的とする。
【課題を解決するための手段】
【０００７】
本発明の監視カメラは、撮影窓部材と、前記撮影窓部材を保持する保持手段と、前記保持手段を伝って前記撮影窓部材に向かって流れる汚水を前記撮影窓部材からそれる方向へ案内する汚水案内手段とを備えている。
【０００８】
この構成により、保持手段に存在する汚水が、撮影窓部材に向かって流れようとするときに、汚水案内手段によって撮影窓部材からそれる方向へ汚水を案内するので、汚水が撮影窓部材に流れるのを回避できる。
【０００９】
さらに、本発明の監視カメラでは、前記汚水案内手段は、前記保持手段上に形成された、汚水を流すための汚水案内溝である。
【００１０】
この構成により、汚水が撮影窓部材に流れようとするときに、汚水案内溝に流れ込み、汚水案内溝に沿って流れるので、汚水が撮影窓部材に流れるのを回避できる。
【００１１】
また、本発明の監視カメラでは、前記汚水案内手段は、前記保持手段上に設けられた、汚水の流れを堰き止める汚水案内堰である。
【００１２】
この構成により、汚水が撮影窓部材に流れようとするときに、汚水案内堰に堰き止められるので、汚水が撮影窓部材に流れるのを回避できる。
【００１３】
さらに、本発明の監視カメラでは、前記汚水案内手段が複数設けられている。
【００１４】
この構成により、複数の汚水案内手段によって汚水を案内するので、撮影窓部材に達する汚水をより一層低減できる。
【発明の効果】
【００１５】
本発明は、撮影窓部材を保持する保持手段を伝って撮影窓部材に向かって流れる汚水を撮影窓部材からそれる方向へ案内する汚水案内手段を設けることにより、汚水による撮影窓部材の汚れを低減できるという効果を有する監視カメラを提供することができる。
【発明を実施するための最良の形態】
【００１６】
以下、本発明の実施の形態の監視カメラについて、図面を用いて説明する。
【００１７】
図１は、本発明の第１の実施の形態の監視カメラの斜視図である。図１に示されるように、監視カメラ１は、カメラケース１１、レンズ収容カバー１２および前面ガラス１３を備えている。カメラケース１１は、略四角形の断面を有する筒型形状である。レンズ収容カバー１２は、円筒形状であり、カメラケース１１の前側に取り付けられており、カメラケース１１の一部を構成している。前面ガラス１３は、円板形状であり、レンズ収容カバー１２の前端部に保持されている。監視カメラ１では、各部材の接合部分がシールされており、防水性が確保されている。また、図示されていないが、監視カメラ１は屋外の高所に、斜め下方を向けて設置されている。
【００１８】
カメラケース１１には、撮像素子および処理回路等が収容されており、レンズ収容カバー１２には、複数枚のレンズからなるレンズ群が収容されている。監視対象は、前面ガラス１３を通して撮影される。そして、監視対象の映像信号が生成され、監視者のいる遠隔地のモニタに送信される。このように、前面ガラス１３は、監視対象を撮影する窓であり、本発明の撮影窓部材に相当する。また、レンズ収容カバー１２は、前面ガラス１３を保持するものであり、本発明の保持手段に相当する。本実施形態の特徴として、保持手段であるレンズ収容カバー１２には、汚水案内溝１４が設けられており、汚水案内溝１４は汚水案内手段の一例である。以下、図２を参照し、汚水案内溝１４の構成と機能を説明する。
【００１９】
図２（ａ）は、監視場所に設置された第１の実施の形態の監視カメラ１を上方から見た図であり、また、図２（ｂ）は、監視カメラ１を側方から見た図である。監視カメラ１は、屋外の高所に、斜め下方向を向くように設置され、監視対象を上方から撮影する。
【００２０】
図示のように、汚水案内溝１４は、レンズ収容ケース１２の前の方であって、前面ガラス１３に近い位置に設けられている。そして、汚水案内溝１４は、レンズ収容部１２に、その周方向全周にわたって、汚水案内溝１４が設けられている。より詳細には、汚水案内溝１４は、レンズ収容ケース１２の円筒形状の中心線Ｌと垂直な面内において、レンズ収容ケース１２の全周に亘って形成されている。また、図２（ｂ）に示されるように、汚水案内溝１４は、略Ｖ字形状であり、垂直壁１４１と傾斜壁１４２で構成される。垂直壁１４１がレンズ収容ケース１２の前側にあり、中心線Ｌに対して垂直である、傾斜壁１４２は根本側にあり、中心線Ｌに対して傾斜している。
【００２１】
次に、上記の汚水案内溝１４の機能を説明する。前述のように監視カメラ１は屋外に斜め下方を向けて設置されており、監視対象場所にて雨が降ると監視カメラ１に雨がかかる。カメラケース１１やレンズ収容カバー１２に降った雨水は、汚水となってカメラケース１１およびレンズ収容カバー１２を伝って前面ガラス１３に向かって流れる。レンズ収容カバー１２を伝った汚水は、汚水案内溝１４に落ち込み、汚水案内溝１４にて流れる。詳細には、汚水は、傾斜壁１４２を流れ、垂直壁１４１にて堰き止められ、汚水案内溝１４に双方向に曲がる。そして、汚水は、レンズ収容カバー１２の裏面方向へと回り込み、下方に落ちる。これにより、雨水が前面ガラス１３に流れるのを回避できる。
【００２２】
以上説明したように、本実施の形態によれば、レンズ収容ケース１２に汚水案内溝１４を設けたので、汚水案内溝１４によって前面ガラス１３からそれる方向へ汚水を案内する。これにより、汚水が前面ガラス１３に流れるのを回避でき、汚水による前面ガラス１３の汚れを低減できる。
【００２３】
また、レンズ収容ケース１２の表面に溝を設けるだけで汚水案内手段である汚水案内溝１４を形成できるので、汚水案内手段を低コストで容易に設けられる。
【００２４】
図３（ａ）は、第２の実施の形態の監視カメラ１を上方から見た図であり、また、図３（ｂ）は、監視カメラ１を側方から見た図である。図３（ａ）、（ｂ）には、レンズ収容カバー１２の部分が示されている。図３（ａ）、（ｂ）に示されるように、本実施の形態の監視カメラ１では、レンズ収容ケース１２に３本の汚水案内溝１５、１６および１７が間隔を開けて設けられている。汚水案内溝１５、１６および１７の構成は、いずれも第１の実施の形態の汚水案内溝１４と同じである。
【００２５】
本実施の形態では、３本の汚水案内溝１５、１６および１７を設けたので、各溝が案内すべき汚水の量が減り、より確実に汚水を排除できる。本実施の形態は、雨量が多いときに特に有用である。雨量が多いときには、カメラケース１１を伝ってレンズ収容カバー１２に至る汚水が増大する。このような場合に、汚水の一部が根元側の汚水案内溝１７を通り過ぎても、次の汚水案内溝１６で案内される。さらに、汚水の一部が汚水案内溝１６を超えても、汚水案内溝１５で案内される。
【００２６】
上記のように、第３の実施の形態によれば、撮影窓部材にかかる汚水の量をより一層低減できる。
【００２７】
なお、上記の例では、３本の汚水案内溝１５〜１７を同一の形状とし、同間隔で形成したが、本発明はこの構成に限られない。汚水案内溝は、２本であってもよく、４本以上であってもよい。また、複数の汚水案内溝で、溝の断面形状および深さがそれぞれ異なっていてもよい。また、汚水案内溝の間隔が等しくなくてもよい。
【００２８】
図４（ａ）は、第３の実施の形態の監視カメラ１を上方から見た図であり、また、図４（ｂ）は、監視カメラ１を側方から見た図である。図４（ａ）、（ｂ）に示されるように、本実施の形態の監視カメラ１は、レンズ収容カバー１２に、汚水を堰き止めるためのフランジ形状の汚水案内堰１８を備えている。汚水案内堰１８は、レンズ収容カバー１２の前の方であって、前面ガラス１３に近い位置に取り付けられている。また、汚水案内堰１８は、環状であり、レンズ収容カバー１２の全周に亘っている。汚水案内堰１８は、本実施の形ではレンズ収容カバー１２と別部材であり、レンズ収容カバー１２に取り付けられている。ただし、汚水案内堰１８は、レンズ収容カバー１２に一体成形されてもよい。汚水案内堰１８は、本発明の汚水案内手段の一例である。
【００２９】
本実施形態では、カメラケース１１およびレンズ収容カバー１２を伝って前面ガラス１３に流れようとする雨水は、汚水案内堰１８の壁１８１にて堰き止められて、壁１８１に沿って周方向に流れ、下方に落下する。したがって、本実施の形態によっても、カメラケース１１およびレンズ収容ケース１２の雨水が前面ガラス１３に達するのを回避できる。
【００３０】
また、本実施の形態では、汚水案内堰１８を設けるだけで汚水案内手段を構成できるので、製造が容易である。
【００３１】
なお、本実施の形態でも、複数の汚水案内堰を設けて、汚水が前面ガラス１３に流れるのをより確実に防止してもよい。
【００３２】
上記の第１ないし第３の実施の形態では、汚水案内溝または汚水案内堰によって汚水案内手段を構成したが、本発明はこれに限られない。前面ガラス１３に向かって流れる汚水を案内できる構成であれば、汚水案内手段として機能する。例えば、レンズ収容カバー１２の前端付近で外形がラッパ状に拡大されてもよく、また、外形が拡大されるように段差が設けられてもよい。
【００３３】
また、上記の第１ないし第３の実施の形態では、レンズ収容カバー１２に汚水案内手段を設けたが、本発明は、これに限定されない。例えば、カメラケース１１がより大きく、前面ガラス１３が直接カメラケース１１取り付けられており、そして、カメラケース１１に汚水案内手段が設けられていてもよい。この場合、カメラケース１１が保持手段に相当する。
【００３４】
さらに、上記の第１ないし第３の実施の形態では、汚水案内手段をレンズ収容ケース１２の全周に亘って設けたが、本発明はこれに限られず、裏面側には汚水案内手段を設けないようにしてもよい。例えば、レンズ収容カバー１２の上側半分の半周に汚水案内手段を設けてもよい。この場合にも、上面の汚水案内手段に案内されて側面の汚水案内手段に流れた汚水は、側面にて重力方向に流れ、側面から下に落下し、汚水が前面ガラスに達することを回避できる。
【産業上の利用可能性】
【００３５】
以上のように、本発明にかかる監視カメラは、撮影窓部材にかかる汚水を減らし、また、撮影窓部材の汚れを減らして、撮影画像を見やすくし、監視を容易にできるという効果を有し、監視カメラとして有用である。
【図面の簡単な説明】
【００３６】
【図１】本発明の第１の実施の形態における監視カメラの斜視図
【図２】（ａ）本発明の第１の実施の形態における監視カメラの上方から見た図  （ｂ）本発明の第１の実施の形態における監視カメラの側方から見た図
【図３】（ａ）本発明の第２の実施の形態における監視カメラの上方から見た図  （ｂ）本発明の第２の実施の形態における監視カメラの側方から見た図
【図４】（ａ）本発明の第３の実施の形態における監視カメラの上方から見た図  （ｂ）本発明の第３の実施の形態における監視カメラの側方から見た図
【図５】従来の監視カメラの斜視図
【符号の説明】
【００３７】
１  監視カメラ
１１  カメラケース
１２  レンズ収容カバー
１３  前面ガラス
１４〜１７  汚水案内溝
１８  汚水案内堰
【図１】
2005192114.tif 000003
【図２】
2005192114.tif 000004
【図３】
2005192114.tif 000005
【図４】
2005192114.tif 000006
【図５】
2005192114.tif 000007